(57)【要約】【課題】畳の移し替えを行うことなく畳表の表面を掃除することが可能で、しかも設置スペースも有効に利用できる畳表の染土を除去する畳掃除機を提供する。【解決手段】工場内の天井の梁を利用して  又は、ポールを設置して梁を構成するなどして電動巻上げ装置１１１を設置する。電動巻上げ装置１１１は、巻き上げ機モータ１１２によりロードベルト１１３を巻き上げたり、巻き戻したりすることが可能となっている。そして、ロードベルト１１３の先端には下フック１１５が設けられている。そして下フック１１５には、掃除機２５の吸引ヘッド２６が、吸引ヘッド２６のリフトフック金具１１８を介して脱着可能に懸架されている構成である。畳４の畳表６の表面を掃除する場合には、畳４を畳台３に載せた状態で吸引ヘッド２６を畳表６の表面に沿って移動させることにより行う。【選択図】図１
2005042325.tif 000002
【特許請求の範囲】
【請求項１】
昇降装置と、昇降装置により昇降する下フックと、下フックにリフトフック金具を介して畳掃除機の吸引ヘッドが脱着可能に懸架されていることを特徴とする畳表面の染土を除去する畳掃除機。
【発明の詳細な説明】
【０００１】
【発明の属する技術分野】
本発明は、畳表面の染土を除去する為の畳掃除機に関するものである。
【０００２】
【従来の技術】
一般に畳は、所定の長さ寸法に切断された畳床の表面に畳表を被せ、畳床の長手方向の両端部（框）において畳表を畳床に縫着する框縫いを行った後、平刺しと返し縫いを行うことにより、畳表の長手方向と直行する両側部に縁（へり）を縫い付けた構成となっている。
【０００３】
ところで、畳床に被せられる畳表は、天然素材である、いぐさを編んで構成されたものである。畳表は製造工程において刈り取ったいぐさを染土の中に浸しこのいぐさを乾燥させて製織加工されている。いぐさを染土の中に浸す泥染め工程を経ることにより畳独自の青緑色を得ることができ、又  いぐさの表面に付着した染土がいぐさを保護する役目も果たしており、畳製造中の変色を抑える効果もある。
このような畳表を用いて製造された畳においては、畳表の表面に上記染土が付着しているので、そのままで畳に加工し納品した場合には、その染土が靴下などに粉となって付着してしまうので、その染土を取り除く必要がある。
しかし、人手による染土の除去方法では大変面倒で、手間ヒマのかかる作業である。
【０００４】
そこで従来では、畳表の表面に付着した染土を掃除する為の畳掃除機として、例えば特開２００１−１９８５３５の公報に見られるように框縫い用の畳縫着装置において框縫いの工程が終わった畳を、当該畳縫着装置の畳台から畳掃除機の畳台に移し替え、その畳掃除機において、畳表の表面に付着した染土を吸引除去するようにしたものが公知となっている。
又、特願平７−１７５１２４の公報には、畳縫着装置の畳載置台上に畳表面の清掃を行う掃除機装置を取り付けたものも公知となっている。
【０００５】
【発明が解決しようとする課題】
これら公知例によるものは、何れも畳表の表面の染土を除去するために、長さが２メートル程の回転ブラシを設置し、染土を回転ブラシにより掻き揚げて吸引除去する機械である。畳表の表面に付着した染土を除去する程度に長さ２メートル程の回転ブラシを回転させる為には、機械自体の大きさはもちろん、機械の剛性も高いものが必要となる。そのような畳掃除機を畳製造機械の畳載置台に設置する場合には機械自体も大型の物となる。又、前述した公知例のいずれにおいても染土を除去する畳掃除機は、筐体内に約２メートル程の回転ブラシを設置し畳上面の染土を掻き揚げる機構である為、畳の厚さに応じてブラシの高さを調整する機構が必要となる。
又、畳の心材は長年使用していると歪が生じて表面が平らでなくなる。そのような心材を使用しての畳表のみを新品に交換する表替え（おもてがえ）と呼ばれる畳製造工程において公知例の染土を除去する畳掃除機を使用する場合には畳表の青緑色の色ムラが発生してしまう。これは、表面が平らでない畳に対して、回転ブラシの高さを所定の位置で回転する為、回転ブラシの強くかかる所と弱くかかるところとが発生し均一に回転ブラシを掛けることができず畳表面全体において青緑色の色むらが発生するものである。
【０００６】
又、畳製造機械から独立した染土を除去する畳掃除機を使用した場合には、畳表の表面を掃除する為に、框縫い用の畳縫着装置の畳台から畳掃除機の畳台に畳を移し替える必要があり、その作業が面倒である。又、独立した畳掃除機は、畳表の表面を掃除する為の専用のものである為、大型であり、広い設置スペースを必要とする欠点もあった。
【０００７】
本発明は上記事情に鑑みてなされたものであり、その目的は、畳の移し替えを行うことなく畳表の表面を畳本来の神秘的な青緑色に仕上げて掃除することが可能で、しかも設置スペースも有利にできる染土を除去する畳掃除機を提供することにある。
【０００８】
【課題を解決するための手段】
上記の目的を達成する為に、請求項１の発明は、工場内の天井の梁１１９を利用して又は、ポールを設置して梁１１９を構成するなどして電動巻上げ装置１１１（昇降装置）を設置する。電動巻上げ装置１１１（昇降装置）は、巻き上げ機モータ１１２によりロードベルト１１３を巻き上げたり、巻き戻したりすることが可能となっている。そして、ロードベルト１１３の先端には下フック１１５が設けられている。そして下フック１１５には、掃除機２５の吸引ヘッド２６が、吸引ヘッド２６のリフトフック金具１１８を介して脱着可能に懸架されている。本発明は、以上の構成からなる畳表面の染土を除去する畳掃除機である。
【０００９】
【発明の実施の形態】
以下、本発明の一実施例について図面を参照して説明する。
まず、全体の概略構成を示す図１及び図２において説明する。畳縫着装置本体１は、本体フレーム２の上部に畳台３を有していて、この畳台３上に長方形状をなす畳４が、長手方向を図１の左右方向にした状態で載置されるようになっている。図１及び図２に示された畳４は、板状をなす畳床５の表面に、いぐさを編んで構成された畳表６を被せ、畳床５の長手方向の両端部（框）において、畳表６を畳床５に框縫いした状態のものである。
【００１０】
畳縫着装置本体１において、図２の左側には框切断機７が配置され、図２の右側には框縫い用ミシン８が配設されている。このうち、框切断機７は、詳細には、説明しないが周知構成のもので、畳台３の長手方向と直行する方向に沿って移動可能に設けられていて、その移動に伴って、畳床５の長手方向の端部をカッターにより切断する機能を有している。また、框縫い用ミシン８も詳細には説明しないが周知構成のもので、畳台３の長手方向と直行するレール１０に沿って移動可能に設けられていて、その移動に伴って、畳台３に載置された畳４に対して框縫いを行う機能を有している。
【００１１】
畳台３のほぼ中央部には、回転円盤１１が設けられている。この回転円盤１１は、畳台３上に載置された畳４（畳床５）を持ち上げて水平方向に回転させる際に使用されるものである。尚、回転円盤１１を上下される機構及び回転させる機構は図では省略されている。又、畳縫着機本体１には、畳４（畳床５）を上方から抑える為のクランプ装置が設けられているが、このクランプ装置も図では省略されている。
【００１２】
畳縫着装置本体１の畳台３上方の空間部分に工場内の天井の梁１１９  又は、ポールを設置して梁１１９を構成するなどして電動巻上げ装置１１１（昇降装置）が設置されている。（図１及び図３参照）電動巻上げ装置１１１（昇降装置）は、巻き上げ機モータ１１２によりロードベルト１１３を巻き上げたり、巻き戻したりすることが可能となっている。ロードベルト１１３の先端には下フック１１５が設けられている。そして、電動巻上げ装置１１１（昇降装置）によりロードベルト１１３を巻き上げたり巻き戻したりする為の昇降用押しボタンスイッチ１１７が畳台３上方に設置されている。そして下フック１１５には、掃除機２５の吸引ヘッド２６が吸引ヘッド２６のリフトフック金具１１８を介して脱着可能に懸架されている。
【００１３】
一方、上記掃除機２５の吸引ヘッド２６は、下面側が開口した矩形箱状をなしていて、その上部のほぼ中央部にホース２８が接続されている。吸引ヘッド２６の長手方向の寸法は、約５０センチの大きさとなっている。この吸引ヘッド２６の下部側には、キャスター４０（図５参照）が複数個所に設けられていると共に、前後方向のほぼ中央部に左右方向に伸びるブラシ４１が回転可能に設けられている。このブラシ４１は、吸引ヘッド２６の上部の側部に設けられたブラシ用モータ４２によりベルト伝動機構４３（図６参照）を介して回転されるようになっている。吸引ヘッド２６の上部においてブラシ用モータ４２とは反対側の側部に、ブラシ用スイッチ４４が設けられている。
【００１４】
吸引ヘッド２６の上面の前部側（図２及び図４の下部側）には、吸引ヘッド２６を移動操作する為の操作アーム４５が軸４６を中心に回動可能に設けられている。操作アーム４５の基端部には、図３に示すように、軸４６を中心とした円弧状のガイド孔４７が形成されていて、このガイド孔４７にストッパ用ネジ４８が挿通されている。操作アーム４５は、これらガイド孔４７とストッパ用ネジ４８とによって回動範囲が規制されている。（図３参照）
【００１５】
吸引ヘッド２６の上面の前部側において、操作アーム４５の一方側に対応する部位に、ロック用レバー４９が軸５０を中心に回動可能に設けられている。吸引ヘッド２６の後部の左右両側に、ローラ５１が回転可能に設けられている。
尚、畳縫着機本体１の前部には，畳掃除機２５の運転を制御する為の掃除機用スイッチ５２が設けられている。
【００１６】
次に上記構成の作用を説明する。
まず、畳４に対して框縫いを行う場合に着いて説明する。この場合には、図３で示すように、掃除機２５の吸引ヘッド２６は、工場内の梁１１９等に設置された電動巻上げ装置１１１（昇降装置）の下フック１１５に懸架された状態で畳台３の上方に位置している。
【００１７】
この状態で、まず、畳床５のみを畳台３に載置した状態で、畳床５の長手方向の両端部を框切断機７により切断し、畳床５の長手方向の寸法を所定の寸法に設定する。この後、畳床５に畳表６を被せ、これらを図示しないクランプ装置で固定した状態で、框縫い用ミシン８により片側の框縫いを行う。この後、クランプ装置の固定を開放した状態で、畳４（畳床５）を回転円盤１１により持ち上げると共に水平方向に１８０度回転させ、再び畳台３に載置した状態とする。
【００１８】
この後、畳表６を引っ張って張った状態として、畳表６及び畳床５をクランプ装置で固定し、この状態で、框用ミシン８により残りの片側の框縫いを行う。これにより、両側の框縫いが完了し、畳表６の長手方向の両端部が畳床５に縫い付けられた状態となる。
【００１９】
次に、框縫いが終わった上記畳４における畳表６の表面を掃除する場合について説明する。作業者が掃除機用スイッチ５２をオン操作すると、畳掃除機２５の集塵機２７の運転が開始される。
作業者が掃除機用スイッチ５２をオン操作すると、畳掃除機２５の集塵機２７の運転が開始されると共に、集塵機２７の運転が開始されることにより、吸引ヘッド２６による吸引が可能になる。次に作業者が、昇降用押しボタンスイッチ１１７の降下用スイッチをオン操作すると電動巻上げ装置１１１（昇降装置）の巻き上げ機モータ１１２が起動しロードベルト１１３が巻き戻されロードベルト１１３の先端に設置されている下フック１１５が下降すると共に吸引ヘッド２６も下降する。
【００２０】
吸引ヘッド２６の下部側に設けられたキャスター４０が畳表６に接するのを確認して作業者は昇降用押しボタンスイッチ１１７の下降用スイッチから指を離しオフ操作し、電動巻上げ装置１１１（昇降装置）の巻き上げ機モータ１１２を停止させ、吸引ヘッド２６の下降を停止する。吸引ヘッド２６は畳表６上にて停止し、図１の二点鎖線で示す位置で吸引ヘッド２６が畳表６上に載置される。（図１参照）
【００２１】
次に作業者は、下フック１１５を吸引ヘッド２６のリフトフック金具１１８から外して吸引ヘッド２６と下フック１１５を分離する。次に、昇降用押しボタンスイッチ１１７の上昇用スイッチをオン操作し、電動巻上げ装置１１１（昇降装置）の巻き上げ機モータ１１２を起動しロードベルト１１３を巻き上げて、作業者がその後の作業の邪魔にならない程度まで下フック１１５が上昇した位置で上昇用スイッチから指を離しオフ操作して巻き上げ機モータ１１２を停止させる。
【００２２】
畳表６の上に載置された吸引ヘッド２６の操作アーム４５を掴んで、畳表６の掃除開始位置まで吸引ヘッド２６を移動させ、ブラシ用スイッチ４４をオン操作する。するとブラシ４１が回転する。この状態で、作業者は、操作アーム４５を掴んで吸引ヘッド２６を、畳表６の上面に沿って移動させる。この時、ブラシ４１の回転で畳表６の表面に付着した染土が掻き落とされると共に、掻き落とされた染土が吸引ヘッド２６の吸い込み口から吸い込まれ、集塵機２７側に集められる。このようにして、畳表６の表面全体を掃除することができる。このとき、吸引ヘッド２６の横幅が５０センチと幅広である為、畳表６の表面を効率よく掃除することができる。又、吸引ヘッド２６にはブラシ４１が設けられているから、そのブラシ４１により染土を効率よく掻き落とすことができ、掃除を一層効率よく行うことができる。
【００２３】
掃除が終了したら、ブラシ用スイッチ４４をオフ操作することで、ブラシ４１の回転を停止させる。この後、吸引ヘッド２６を電動巻上げ装置１１１（昇降装置）のほぼ真下に移動させる。そして、昇降用押しボタンスイッチ１１７の下降用スイッチをオン操作し下フック１１５が吸引ヘッド２６のリフトフック金具１１８の位置となったところ迄下降したら下降用スイッチから指を離しオフ操作し、電動巻上げ装置１１１（昇降装置）の巻き上げ機モータ１１２を停止させ下フック１１５の下降を止める。
【００２４】
次に、下降した下フック１１５を吸引ヘッド２６のリフトフック金具１１８に掛けた後、昇降用押しボタンスイッチ１１７の上昇用スイッチをオン操作し電動巻上げ装置１１１（昇降装置）の巻き上げ機モータ１１２を起動する。そして、ロードベルト１１３が巻き上げられて下フック１１５と共に吸引ヘッド２６が上昇し畳製造作業の邪魔にならない程度  もしくは下フック１１５が最上部まで上昇させた後、昇降用押しボタンスイッチ１１７の上昇用スイッチから指を離してオフ操作し、電動巻上げ装置１１１（昇降装置）の巻き上げ機モータ１１２を停止させて吸引ヘッド２６の上昇を止める。次に、掃除機用スイッチ５２をオフ操作し、畳掃除機２５の集塵機２７の運転を停止させる。以上により、畳４の表面の掃除工程が完了する。
【００２５】
上記した実施例によれば、次のような効果を得ることができる。まず、畳４の表面を掃除する場合には、畳４を、框縫いを行う際に使用した畳台３に載せたままで掃除することができるから、畳４を移し替えることなく掃除することができる。又、畳縫着装置の畳台３を利用することができるから、畳縫着装置とは独立した専用の染土を除去する畳掃除機を設置する場合に比べて設置スペースを有効に利用することができる。
【００２６】
【発明の効果】
本発明によれば、畳の表面を掃除する場合には、畳を框縫いを行う際に使用した畳台に載せたままで掃除することができるから、畳４を移し替えることなく掃除することができる。又、畳縫着装置の畳台を利用することができるから、畳縫着装置とは独立した専用の染土を除去する畳掃除機を設置する場合に比べて設置スペースを有効に利用することができる。
又、畳製造工程においては、各種の機械  例えば框縫い機、平刺し機、返し縫い機等が必要である。畳表の表面に付着した染土を除去する作業は、框縫い機の畳台の上  又は平刺し機の畳台上で縁布を縫い付ける段階での作業が考えられる。このような状況においても本発明によれば、機械のレイアウト  又は工場の広さ等を検討し框縫い機の畳台上に限らず、各工場の最適な作業手順に合わせて、染土を除去する畳掃除機を設置することができるので、畳製造工程における作業効率を上げることが可能である。
【００２７】
又、工場内における畳製造工程では、たくさんのゴミ（畳表の切りくず、畳の心材である床の切りくず）が発生し、工場内の床（地面）に散乱している場合がある。このような時にも本発明によれば、畳掃除機が工場内の空間に設置収納されている為じゃまにならず、これらのゴミを収集廃棄する場合にも非常に楽に作業することができる。
【００２８】
又、前述した公知例の染土を除去する畳掃除機は、筐体内に約２メートル程の回転ブラシを設置し畳上面の染土を掻き揚げる機構である為、畳の厚さに応じてブラシの高さを調整する機構が必要となる。又、畳の心材は長年使用していると歪が生じて表面が平らでなくなる。そのような心材を使用しての畳表のみを新品に交換する表替え（おもてがえ）と呼ばれる畳製造工程において公知例の染土を除去する畳掃除機を使用する場合には、畳表の青緑色の色ムラが発生してしまう。これは、前述の表替え（おもてがえ）畳では表面が平らでない畳に対して、回転ブラシの高さを所定の高さで回転する為、回転ブラシの強くかかる所と弱くかかるところとが発生し、均一に回転ブラシを掛けることができず畳表面全体において青緑色の色むらが発生するものである。
しかし、本発明によれば、吸引ヘッド２６が畳の上面に置かれた状態で掃除する為、畳の厚みに影響されることなく、又畳表面が平らでない場合でも  その表面に応じて回転ブラシが追従するので畳表面全体において均一な青緑色を得ることができる。
【図面の簡単な説明】
【図１】本発明の一実施例を示すもので、畳掃除機の吸引ヘッドを畳の上方に位置させた状態における一部破断した全体の概略構成を示す左側面図
【図２】平面図
【図３】電動巻上げ装置１１１（昇降装置）と吸引ヘッドの構成を示す左側面図
【図４】吸引ヘッドの平面図
【図５】吸引ヘッドの左側面図
【図６】吸引ヘッドの縦断正面図
【符号の説明】
１は畳縫着装置本体、３は畳台、４は畳、５は畳床、６は畳表、７は框切断機、８は框縫いミシン、２５は畳掃除機、２７は集塵機、２８はホース、４０はキャスター、４１はブラシ、４５は操作アーム、１１１は電動巻き上げ装置、１１２は巻き上げ機モータ、１１３はロードベルト、１１５は下フック、１１７は昇降用押しボタンスイッチ、１１８はリフトフック金具、１１９は梁を示す。
【図１】
2005042325.tif 000003
【図２】
2005042325.tif 000004
【図３】
2005042325.tif 000005
【図４】
2005042325.tif 000006
【図５】
2005042325.tif 000007
【図６】
2005042325.tif 000008